(57)【特許請求の範囲】
【請求項１】
画像が表示される画像表示領域と、前記画像表示領域に沿う領域であり、前記画像表示領域の少なくとも両側に配置された、情報を示すアイテムを表示するための複数の情報表示領域であって、前記画像表示領域とは異なる前記複数の情報表示領域とを含む第一の画面と、前記第一の画面とは異なる第二の画面とを切り替える切替手段と、
前記切替手段により、前記第一の画面から前記第二の画面に切り替えられたことに応じて、
前記第一の画面における前記画像表示領域以上の大きさの画像表示領域に画像を表示するとともに、前記第一の画面における前記複数の情報表示領域のうち何れかの情報表示領域よりも大きく、前記第二の画面における画像表示領域に沿う領域であり、情報を示すアイテムを表示するための拡大情報表示領域であって、前記第二の画面における画像表示領域とは異なる前記拡大情報表示領域を設け、
前記第一の画面において前記情報表示領域に表示されていた特定の項目に関して、前記第一の画面よりも多い情報量を表示可能なように、または前記第一の画面よりも多くの操作が可能なように、前記拡大情報表示領域に表示するように制御する制御手段とを有することを特徴とする表示制御装置。
【請求項２】
前記第一の画面において、前記画像表示領域は表示部の中央に位置しており、前記第二の画面において、前記画像表示領域は前記第一の画面における前記画像表示領域の位置よりも、前記表示部の端に寄った位置にあることを特徴とする請求項１に記載の表示制御装置。
【請求項３】
前記第一の画面において画像表示領域の両側に設けられる情報表示領域のうち、一方の領域にある情報表示領域を第一の情報表示領域、他方にある情報表示領域を第二の情報表示領域とした場合に、
前記第二の画面における前記拡大情報表示領域は、前記第一の情報表示領域と前記第二の情報表示領域とを合わせた大きさの領域であって、前記第二の画面における画像表示領域からみて、前記第一の画面において前記第一の情報表示領域のあった側、または前記第二の情報表示領域のあった側の何れかの側にあることを特徴とする請求項１または２に記載の表示制御装置。
【請求項４】
前記第一の情報表示領域と前記第二の情報表示領域は、高さまたは幅のいずれか一方が同じであることを特徴とする請求項３に記載の表示制御装置。
【請求項５】
前記第一の画面で前記複数の情報表示領域に表示されるアイテムの数よりも、前記第二の画面で前記拡大情報表示領域に表示されるアイテムの数の方が少ないことを特徴とする請求項１乃至４のいずれか１項に記載の表示制御装置。
【請求項６】
前記第二の画面においては、前記特定の項目に関して、前記第一の画面における前記特定の項目を示すアイテムよりも拡大して表示、前記第一の画面において表示される前記特定の項目の説明または詳細の表示、前記第一の画面において表示される前記特定の項目を示すアイテムが選択可能であることを示す表示の少なくとも一つの表示形態で表示することを特徴とする請求項１乃至５のいずれか１項に記載の表示制御装置。
【請求項７】
表示部への特定の操作を受け付ける受付手段をさらに有し、
前記切替手段は、前記受付手段によって前記特定の操作を受け付けたことに応じて、前記第一の画面から前記第二の画面に切り替えることを特徴とする請求項１乃至６のいずれか１項に記載の表示制御装置。
【請求項８】
前記第二の画面において、前記特定の操作の方向に応じた側に、前記拡大情報表示領域を設けることを特徴とする請求項７に記載の表示制御装置。
【請求項９】
前記特定の操作は、前記表示部へのタッチしたまま移動する操作であり、操作の方向はタッチの移動方向であることを特徴とする請求項７または８に記載の表示制御装置。
【請求項１０】
少なくとも再生モードと撮影モードとを切り替え可能であり、
前記制御手段は、前記再生モードの場合には、前記特定の操作が行われても前記第一の画面から前記第二の画面に切り替えず、前記撮影モードの場合には、前記受付手段が前記特定の操作が行われたことに応じて、第一の画面から前記第二の画面に切り替えるように前記切替手段を制御することを特徴とする請求項７乃至９のいずれか１項に記載の表示制御装置。
【請求項１１】
前記第一の画面から前記第二の画面に切り替えられてからの時間を計測する計測手段をさらに有し、
前記制御手段は、前記第一の画面から第二の画面に切り替えられた後、所定時間が経過すると前記第二の画面から前記第一の画面に戻るように制御する請求項７乃至１０のいずれか１項に記載の表示制御装置。
【請求項１２】
前記制御手段は、撮影中である場合には、前記所定時間が経過しても前記第一の画面に戻らないように制御する請求項１１に記載の表示制御装置。
【請求項１３】
前記制御手段は、前記第一の画面から前記第二の画面に切り替えられた後、前記特定の操作が行われた方向とは反対方向への操作が行われると、前記第二の画面から前記第一の画面に戻るように制御する請求項７乃至１２のいずれか１項に記載の表示制御装置。
【請求項１４】
前記画像表示領域に表示される画像は、撮像部により得られるライブビュー画像を含むことを特徴とする請求項１乃至１３のいずれか１項に記載の表示制御装置。
【請求項１５】
前記第一の画面における情報表示領域に、警告または注意を示すアイテムと、警告または注意を示さないアイテムが表示されている場合には、警告または注意を示すアイテムが前記第二の画面における前記拡大情報表示領域に表示され、警告または注意を示さないアイテムは表示されないことを特徴とする請求項１乃至１４のいずれか１項に記載の表示制御装置。
【請求項１６】
前記第一の画面における情報表示領域に、撮影中に設定変更可能なアイテムと、撮影中に設定変更できないアイテムとが表示されている場合に、撮影中に設定変更可能なアイテムが前記第二の画面における前記拡大情報表示領域に表示され、撮影中に設定変更できないアイテムは表示されないことを特徴とする請求項１乃至１５のいずれか１項に記載の表示制御装置。
【請求項１７】
画像が表示される画像表示領域と、前記画像表示領域に沿う領域であり、前記画像表示領域の少なくとも両側に配置された、情報を示すアイテムを表示するための複数の情報表示領域であって、前記画像表示領域とは異なる前記複数の情報表示領域とを含む第一の画面と、前記第一の画面とは異なる第二の画面とを切り替える切替ステップと、
前記切替ステップにおいて、前記第一の画面から前記第二の画面に切り替えられたことに応じて、
前記第一の画面における前記画像表示領域以上の大きさの画像表示領域に画像を表示するとともに、前記第一の画面における前記複数の情報表示領域のうち何れかの情報表示領域よりも大きく、前記第二の画面における画像表示領域に沿う領域であり、情報を示すアイテムを表示するための拡大情報表示領域であって、前記第二の画面における画像表示領域とは異なる前記拡大情報表示領域を設け、
前記第一の画面において前記情報表示領域に表示されていた特定の項目に関して、前記第一の画面よりも多い情報量を表示可能なように、または前記第一の画面よりも多くの操作が可能なように、前記拡大情報表示領域に表示するように制御する制御ステップとを有することを特徴とする表示制御装置の制御方法。
【請求項１８】
コンピュータを、請求項１乃至１６のいずれか１項に記載された表示制御装置の各手段として機能させるためのプログラム。
【請求項１９】
コンピュータを、請求項１乃至１６のいずれか１項に記載された表示制御装置の各手段として機能させるためのプログラムを格納したコンピュータが読み取り可能な記録媒体。
【発明の詳細な説明】
【技術分野】
【０００１】
本発明は、表示制御装置およびその制御方法に関し、特に情報表示領域と画像表示領域に分けて表示をする際の視認性を向上させるための制御技術に関する。
【背景技術】
【０００２】
画像と表示部のアスペクト比とが異なる場合に、画像全体をなるべく大きく表示するために、画像の一辺と表示部の一辺との長さを合わせて表示することがある。特許文献１には、画像のアスペクト比よりも横長の表示部に画像を表示する際に、画像と表示部の高さを合わせて表示し、さらに画像を表示部の片側に寄せることで、空いた領域に情報を表示することが開示されている。さらに、特許文献２には、サムネイル表示領域と画像表示領域があり、スライドすることにより表示領域が広がり、より多くのサムネイルを表示できることが開示されている。
【先行技術文献】
【特許文献】
【０００３】
【特許文献１】特開２００６−３３２９３８号公報
【特許文献２】特開２０１４−１１２３８０号公報
【発明の概要】
【発明が解決しようとする課題】
【０００４】
一般的に、撮影中にライブビュー画像を表示する等の場合には、ユーザが画像の中心や構図を把握しやすいよう、表示部の中央に画像の中央が位置するように表示することが望ましい。特許文献１の表示方法では、画像を片側に寄せることで空いた領域に情報を表示するので、よりまとまった領域に情報表示をすることができるが、常に画像の中心が表示部の片側に寄っているため、撮影が行いにくくなる可能性がある。一方で、特許文献２では、スライドすることで、サムネイル（情報）表示領域を大きくし、より多くの情報表示を行えることが開示されている。しかしながら、特許文献２の方法では、情報表示領域を大きくすると画像の表示領域が小さくなってしまうため、画像の視認性が低下する可能性がある。
【０００５】
本発明は、上記の課題に鑑み、画像の視認性と、操作性とを両立させた表示制御装置の提供を目的とする。
【課題を解決するための手段】
【０００６】
上記目的を達成するために、本発明の表示制御装置は、画像が表示される画像表示領域と、前記画像表示領域に沿う領域であり、前記画像表示領域の少なくとも両側に配置された、情報を示すアイテムを表示するための複数の情報表示領域であって、前記画像表示領域とは異なる前記複数の情報表示領域とを含む第一の画面と、前記第一の画面とは異なる第二の画面とを切り替える切替手段と、前記切替手段により、前記第一の画面から前記第二の画面に切り替えられたことに応じて、前記第一の画面における前記画像表示領域以上の大きさの画像表示領域に画像を表示するとともに、前記第一の画面における前記複数の情報表示領域のうち何れかの情報表示領域よりも大きく、前記第二の画面における画像表示領域に沿う領域であり、情報を示すアイテムを表示するための拡大情報表示領域であって、前記第二の画面における画像表示領域とは異なる前記拡大情報表示領域を設け、前記第一の画面において前記情報表示領域に表示されていた特定の項目に関して、前記第一の画面よりも多い情報量を表示可能なように、または前記第一の画面よりも多くの操作が可能なように、前記拡大情報表示領域に表示するように制御する制御手段とを有することを特徴とする。
【発明の効果】
【０００７】
本発明によれば、画像の視認性と、操作性とを両立させた表示制御装置の提供することができる。
【図面の簡単な説明】
【０００８】
【図１】本実施形態の構成を適用可能な装置の一例としてのデジタルカメラの外観図
【図２】本実施形態の構成を適用可能な装置の一例としてのデジタルカメラの構成例を示すブロック図
【図３】本実施形態の表示処理の全体を示すフローチャート
【図４】本実施形態の情報表示領域が表示部の上下に分かれて設けられる場合の表示処理を示すフローチャート
【図５】本実施形態の情報表示領域と画像表示領域の一例を示す図
【図６】本実施形態の情報表示領域と画像表示領域の一例を示す図
【発明を実施するための形態】
【０００９】
以下、図面を参照して本発明の好適な実施形態を説明する。
【００１０】
図１に本発明の表示制御装置の一例としてのデジタルカメラ１００の外観図を示す。デジタルカメラ１００は、本体部２０とパネル部４０によって構成され、パネル部４０は本体部２０に対して位置を変更可能である。図１（ａ）、（ｂ）は本体部２０に対してパネル部４０を開き、タッチパネル７０ａの操作がしやすいようにした状態、図１（ｃ）は本体部２０に対してパネル部４０を閉じて、デジタルカメラ１００を構えた状態を示している。このように、本体部２０に対してパネル部４０を開いたり閉じたりするようにすることで、パネル部４０の位置を変更することができる。
【００１１】
表示部２８は画像や各種情報を表示する表示部である。表示部２８にはタッチパネル７０ａが重畳して設けられており、表示部２８に表示されるアイコンや画像をタッチする操作で、直感的に選択操作や様々な指示を行うことができる。
【００１２】
撮影ボタン６１は撮影指示を行うための操作部である。モード切替スイッチ６０は各種モードを切り替えるための操作部である。ズームレバー６２は、つまみを移動させることによりズーム位置を調整可能な操作部であり、ユーザは撮影中にデジタルカメラ１００を構えた状態で操作ができる。再生ボタン６４は、記録媒体２００に記録されている画像を再生するための再生モードに切り替えるためのボタンである。メニューボタン６３は、撮影画像の大きさや、撮影中に表示する項目の選択操作等を行うことができる。ＳＥＴボタン７６を押下すると、選択した項目を設定項目として設定することができる。これらの操作部材は、操作部に７０に含まれる。操作部７０はユーザからの各種操作を受け付ける各種スイッチ、ボタン、タッチパネル等の操作部材より成る操作部である。ユーザは本体部２０側の把持部Ａを持ってデジタルカメラ１００を片手で支え、他方の手でパネル部４０側の把持部Ｂを持ちながら表示部２８への操作を行うことができる。
【００１３】
電源スイッチ７２は、電源オン、電源オフを切り替えるための押しボタンである。記録媒体２００はメモリカードやハードディスク等の不揮発性の記録媒体である。
【００１４】
撮像部２２は、被写体の撮像を行う撮像部であり、撮像部２２によって撮像された画像は、ライブビュー画像として表示部２８に表示可能である。
【００１５】
図２は、本実施形態によるデジタルカメラ１００の構成例を示すブロック図である。
【００１６】
図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００１７】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１８】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１９】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー表示）を行える。
【００２０】
不揮発性メモリ５６は、電気的に消去・記録可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００２１】
システム制御部５０は、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。システムタイマー５３は各種制御に用いる時間や、内蔵された時計の時間を計測する計時部である。
【００２２】
モード切替スイッチ６０、撮影ボタン６１、操作部７０等の指示部はシステム制御部５０に各種の動作指示を入力するための操作手段である。
【００２３】
モード切替スイッチ６０は、システム制御部５０の動作モードを静止画記録モード、動画撮影モード、再生モード等のいずれかに切り替える。モード切替スイッチ６０で、メニュー画面に含まれるこれらのモードのいずれかに直接切り替えられる。あるいは、モード切替スイッチ６０でメニュー画面に一旦切り換えた後に、メニュー画面に含まれるこれらのモードのいずれかに、他の操作部材を用いて切り替えるようにしてもよい。
【００２４】
撮影ボタン６１が押下されると、撮像部２２からの信号読み出しから記録媒体２００に画像データを書き込むまでの一連の撮影処理の動作を開始する。
【００２５】
操作部７０の各操作部材は、表示部２８に表示される種々の機能アイコン（アイテム）を選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタン７６とを用いて直感的に各種設定を行うことができる。
【００２６】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源スイッチ７２への電源オン、電源オフの切り替え指示がされると、システム制御部５０に電源の入り切りの指示が伝わり電源の入り切りすることができる。
【００２７】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の不揮発性の記録媒体であり、半導体メモリや光ディスク、磁気ディスク等から構成される。
【００２８】
通信部５４は、無線または有線ケーブルによって外部機器やネットワークと接続し、映像信号や音声信号等の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００２９】
なお操作部７０の一つとして、表示部２８に対する接触を検知可能なタッチパネル７０ａを有する。タッチパネル７０ａと表示部２８とは一体的に構成することができる。例えば、タッチパネル７０ａを光の透過率が表示部２８の表示を妨げないように構成し、表示部２８の表示面の上層に取り付ける。そして、タッチパネル７０ａにおける入力座標と、表示部２８上の表示座標とを対応付ける。これにより、恰もユーザが表示部２８上に表示された画面を直接的に操作可能であるかのようなＧＵＩ（グラフィカルユーザーインターフェース）を構成することができる。システム制御部５０はタッチパネル７０ａへの以下の操作。あるいは状態を検出できる。
・タッチパネルにタッチしていなかった指やペンが新たにタッチパネルにタッチしたこと。すなわち、タッチの開始（以下、タッチダウン（Ｔｏｕｃｈ−Ｄｏｗｎ）と称する）。
・タッチパネルを指やペンでタッチしている状態であること（以下、タッチオン（Ｔｏｕｃｈ−Ｏｎ）と称する）。
・タッチパネルを指やペンでタッチしたまま移動していること（以下、タッチムーブ（Ｔｏｕｃｈ−Ｍｏｖｅ）と称する）。
・タッチパネルへタッチしていた指やペンを離したこと。すなわち、タッチの終了（以下、タッチアップ（Ｔｏｕｃｈ−Ｕｐ）と称する）。
・タッチパネルに何もタッチしていない状態（以下、タッチオフ（Ｔｏｕｃｈ−Ｏｆｆ）と称する）。
【００３０】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００３１】
これらの操作・状態や、タッチパネル上に指やペンがタッチしている位置座標は内部バスを通じてシステム制御部５０に通知され、システム制御部５０は通知された情報に基づいてタッチパネル上にどのような操作が行なわれたかを判定する。タッチムーブについてはタッチパネル上で移動する指やペンの移動方向についても、位置座標の変化に基づいて、タッチパネル上の垂直成分・水平成分毎に判定できる。またタッチパネル上をタッチダウンから一定のタッチムーブを経てタッチアップをしたとき、ストロークを描いたこととする。素早くストロークを描く操作をフリックと呼ぶ。フリックは、タッチパネル上に指をタッチしたままある程度の距離だけ素早く動かして、そのまま離すといった操作であり、言い換えればタッチパネル上を指ではじくように素早くなぞる操作である。所定距離以上を、所定速度以上でタッチムーブしたことが検出され、そのままタッチアップが検出されるとフリックが行なわれたと判定できる。また、所定距離以上を、所定速度未満でタッチムーブしたことが検出された場合はドラッグが行なわれたと判定するものとする。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対して指やペンが接近していても触れないこともタッチがあったと検出する方式ものがあるが、いずれの方式でもよい。
【００３２】
図３を用いて本実施形態における表示に関する処理（表示処理の全体）について説明する。この処理は、不揮発性メモリ５６に記録されたプログラムをシステムメモリ５２に展開してシステム制御部５０が実行することで実現する。なお、この処理は、デジタルカメラ１００に電源が入り、表示部２８への表示が可能になると開始する。
【００３３】
Ｓ３０１では、システム制御部５０は、設定中のモードが撮影モードであるか否かを判定する。撮影モードであると判定した場合は、Ｓ３０３へ進み、そうでない場合は、Ｓ３０２へ進む。
【００３４】
Ｓ３０２では、システム制御部５０は、撮影モード以外の再生モードやメニュー画面の表示モードに移行する。各モードにおける表示処理については割愛する。再生モードでは、記録媒体２００に記録されている画像を表示し、画像の確認、編集、削除を受け付ける。また、メニュー画面では、項目の設定変更等を受け付ける。
【００３５】
Ｓ３０３では、システム制御部５０は、不揮発性メモリ５６から表示項目パターンの読み込みを行う。表示項目パターンは、ユーザがメニュー画面において設定することができる。図５（ａ）〜（ｃ）には画像が中央位置に表示され、情報表示領域（ブラック領域）が画像を挟むように表示されている場合の表示部２８の表示例が示されている。図５（ａ）、（ｃ）、（ｄ）は撮影待機中、図５（ｂ）は動画の撮影記録中の表示部２８の表示例を示すものである。ユーザは、図５（ａ）に表示されているようなアイコン５０４〜５０９を、撮影中画像（ライブビュー画像）を表示する画面において、それぞれ表示するか否かを設定することができる。表示するように設定された項目（情報を示すアイテム、アイコン）が表示項目パターンとして不揮発性メモリ５６に記録される。表示する項目の設定は、メニュー画面において項目を示すアイコンにチェックマークを付けたり消したりすることで設定することができ、チェックマークが付けられたアイコンはライブビュー画面において情報表示領域に表示される。
【００３６】
Ｓ３０４では、システム制御部５０は、表示部２８の表示可能な領域のアスペクト比が４：３であるか、または１６：９であるか否かを判定する。４：３であると判定した場合は、Ｓ３０５へ進み、そうでない（１６：９である）場合は、Ｓ３１３へ進む。
【００３７】
Ｓ３０５では、システム制御部５０は、表示画像（ライブビュー画像、撮影中画像）のアスペクト比が１６：９であるか否かを判定する。表示画像のアスペクト比は、メニュー画面において設定することができる。表示画像のアスペクト比は、記録サイズを示していてもよいし、記録サイズとは別に表示する画像のアスペクト比として設定してもよい。このように、表示部２８と表示画像のアスペクト比とを比較することで、それぞれのアスペクト比が異なる場合には情報表示領域があることが分かる。さらに、表示画像に対して表示部が縦長である場合には、表示画像を表示部２８の横方向（幅）の長さに合わせて表示し、横長である場合には、表示画像を表示部２８の縦方向（高さ）の長さに合わせて表示する。表示画像のアスペクト比が１６：９であると判定した場合は、Ｓ３０６へ進み、そうでない場合は、Ｓ３０７へ進む。Ｓ３０５及びＳ３１３においてＮｏであった場合には、表示部２８と表示画像のアスペクト比が同じである場合である。
【００３８】
Ｓ３０６では、システム制御部５０は、表示部２８の縦方向の端部（上下）の辺に沿って情報表示領域が設けられる場合の表示処理を行う。Ｓ３０６の処理については、図４を用いて詳細を説明する。
【００３９】
Ｓ３０７では、システム制御部５０は、図５（ｄ）に示す撮影中画像５１７のように、情報表示領域を設けずに画像を表示する。Ｓ３０７〜Ｓ３１２では、表示画像と表示部２８のアスペクト比が同じ場合の処理であり、ライブビュー画像、撮影中画像等の画像は表示部２８の大きさに合わせて表示されるが情報表示領域は、アスペクト比が異なる場合のように設けられない。情報表示をする場合には画像に重畳して表示してもよいし、表示する画像を小さくして情報表示する領域を設けるようにしてもよい。
【００４０】
Ｓ３０８では、システム制御部５０は、撮影開始指示があったか否かを判定する。撮影開始指示があったと判定した場合には、Ｓ３０９へ進み、そうでない場合は、Ｓ３１１へ進む。撮影開始指示は、撮影ボタン６１への押下によって行うことができる。このとき、撮影中画像５１７へのスワイプ操作を行っても、撮影中画像５１７は移動しない。
【００４１】
Ｓ３０９では、システム制御部５０は、撮像部２２により撮像された動画の記録処理を行う。ここでは、動画の撮影を行うものとして説明するが、静止画の撮影を行ってもよい。
【００４２】
Ｓ３１０では、システム制御部５０は、撮影終了指示があったか否かを判定する。撮影終了指示があったと判定した場合には、Ｓ３０７へ進み、そうでない場合は、Ｓ３０９へ戻り動画の記録を続ける。撮影終了指示は、撮影ボタン６１への押下によって行うことができる。
【００４３】
Ｓ３１１では、システム制御部５０は、終了操作があったか否かを判定する。終了操作があったと判定した場合は、表示に関する処理を終了する。終了指示は、電源を切る操作である。
【００４４】
Ｓ３１２では、システム制御部５０は、モード変更操作があったか否かを判定する。モード変更操作は、メニューボタン６３の押下によるメニュー画面への切り替えや、再生ボタン６４の押下による再生モードへの切り替え等により行うことができる。モード変更操作があったと判定した場合には、Ｓ３０１へ進み、そうでない場合は、Ｓ３０７へ進む。
【００４５】
Ｓ３１３では、システム制御部５０は、表示画像（ライブビュー画像、撮影中画像）のアスペクト比が４：３であるか否かを判定する。表示画像のアスペクト比が４：３であると判定した場合にはＳ３１４へ進み、そうでない場合は、Ｓ３０７へ進む。
【００４６】
Ｓ３１４では、システム制御部５０は、表示部２８の横方向の端部（左右）に情報表示領域が設けられる場合の表示処理を行う。Ｓ３１４の処理は、Ｓ３０６（図４の処理）の上下の情報表示領域が左右の情報表示領域に置き換わったものである。また、左右に情報表示領域が設けられた場合には、右から左へのフリックで右辺の端に情報表示領域をまとめて情報表示し、左から右へのフリックで左辺の端に情報表示領域をまとめて情報表示する。ただし、タッチパネル７０ａをユーザがタッチ操作する際には、図１（ｂ）に示すような持ち方でタッチパネル７０ａの左端を持ってユーザがタッチ操作を行っている可能性が高いので、どちら方向へのフリックでも左辺の端に情報表示領域をまとめてもよい。タッチパネル７０ａの右辺は本体部２０側にあり、右辺の端へのタッチ操作は行いにくいので、横方向へのフリックであれば、タッチ操作の行いやすい左端の端の領域に情報表示をまとめて（拡大情報表示領域を）表示するようにする。情報表示領域が左右に設けられる場合の表示例については、図５、図６を用いて後述する。
【００４７】
次に、図４を用いてＳ３０６の詳細の表示処理であり、表示部２８の縦方向の端部（上下）に情報表示領域が設けられる場合の表示処理について図５及び図６を用いて説明する。
【００４８】
Ｓ４０１では、システム制御部５０は、図５（ａ）、（ｂ）に示すように表示部２８の上辺領域に情報表示領域５０１と、下辺領域に情報表示領域５０２を設け、中央に撮影中画像５０３を表示する。表示部２８の表示領域が高さＤ２、幅Ｄ１であり、情報表示領域５０１と５０２（高さｄ１）が撮影中画像５０３の上下の辺にある（両側に配置されている）。よって、撮影中画像５０３が、高さ（Ｄ２−２×ｄ１）、幅（Ｄ１）の大きさで上辺下辺のいずれにも寄らずに中央に位置する。また、情報表示領域５０１は表示部２８の上辺に沿って設けられ、情報表示領域５０２は下辺に沿って同じ高さｄ１と、幅Ｄ１（表示部２８の幅と同じ）で設けられる。このように撮影中画像５０３が表示部２８の縦方向の中央に、表示部２８の幅に合わせて表示されると、設定されたアスペクト比での画像の一部が非表示になることなく全体を表示することができる。なお、表示部２８のアスペクト比と画像のアスペクト比が図３のＳ３１３でＹｅｓとなる場合には、表示部２８の高さに合わせて表示をすると表示可能範囲で画像の一部が非表示になることなく、より大きく表示することができる。図５（ａ）に示すように、表示部２８の左上を座標の原点とした場合に、ｙ座標が０に近づく方向にある辺が表示部２８の上辺、ｙ座標が大きくなる方向にある辺が下辺である。さらに、ｘ座標が０に近づく方向にある辺が左辺、ｚ座標が大きくなる方向にある辺が右辺である。
【００４９】
Ｓ４０２では、システム制御部５０は、図３のＳ３０３で読み込んだ表示項目パターンを情報表示領域５０１及び５０２に表示する。図５（ａ）の情報表示領域５０１には、撮影待機中であることを示すアイコン５１０と電池容量を示すアイコン５０４が表示されており、情報表示領域５０２には、アイコン５０５〜５０９が表示されている。アイコン５０５は撮影モード、アイコン５０６は音声シーン、アイコン５０７はホワイトバランス、アイコン５０８は記録サイズ、アイコン５０９はフラッシュ設定を示すアイコンである。電池容量や撮影時間といった所定の表示は情報表示領域５０１に表示されるというように、項目によって情報表示領域５０１と５０２の何れかに表示されるかが決まっていてもよいし、ユーザが上下どちらの情報表示領域に項目を表示するかを設定してもよい。
【００５０】
Ｓ４０３では、システム制御部５０は、図３のＳ３１１と同様に終了操作があったか否かを判定する。終了操作があったと判定した場合は、表示に関する処理を終了し、そうでない場合はＳ４０４に進む。終了指示は、電源を切る操作である。
【００５１】
Ｓ４０４では、システム制御部５０は、図３のＳ３１２と同様にモード変更操作があったか否かを判定する。モード変更操作があったと判定した場合には、図３のＳ３０１へ進み、そうでない場合は、Ｓ４０５へ進む。
【００５２】
Ｓ４０５では、システム制御部５０は、図３のＳ３０８と同様に、撮影開始指示があったか否かを判定する。撮影開始指示があったと判定した場合は、Ｓ４０６へ進み、そうでない場合は、Ｓ４０８へ進む。
【００５３】
Ｓ４０６では、システム制御部５０は、図３のＳ３０９と同様に、撮像部２２により撮像された動画の記録処理を行う。撮影が開始されると、表示部２８は図５（ａ）に示すような撮影待機画面における撮影待機中であることを示すアイコン５１０から、図５（ｂ）に示すような撮影中であることを示すアイコン５１１に切り替えられる。また、撮影が開始されると撮影時間を示すアイテム５１２が表示される。
【００５４】
Ｓ４０７では、システム制御部５０は、図３のＳ３１０と同様に、撮影終了指示があったか否かを判定する。撮影終了指示があったと判定した場合には、Ｓ４０１へ進み、そうでない場合は、Ｓ４０８へ進む。Ｓ４０８以降の処理は図３のＳ３０７〜Ｓ３１２の処理とは異なり、２箇所ある情報表示領域をまとめて、表示を拡大したり、詳細表示をしたり、項目の設定変更を受け付ける等の処理を行う。
【００５５】
Ｓ４０８では、システム制御部５０は、縦方向のフリック操作があったか否かを判定する。縦方向のフリック操作があったと判定した場合には、Ｓ４０９へ進み、そうでない場合は、Ｓ４０３へ戻る。
【００５６】
Ｓ４０９では、システム制御部５０は、縦方向のフリック操作がされてから所定時間が経過したか否かを判定するための時間Ｔの計測を開始する。
【００５７】
Ｓ４１０では、システム制御部５０は、Ｓ４０８において判定された縦方向のフリック操作が、表示部２８の上から下へのフリック操作であったか否かを判定する。上から下へのフリック操作であったと判定した場合は、Ｓ４１１へ進み、そうでない（下から上へのフリックである）場合は、Ｓ４１３へ進む。また、Ｓ４１０で判定されたフリックの方向をシステムメモリ５２に記憶する。
【００５８】
Ｓ４１１では、システム制御部５０は、図６（ａ）〜（ｃ）に示すように、表示部２８の上辺に沿った領域に情報表示領域５０１と５０２をまとめて拡大情報表示領域６０１として設け、下辺に沿った領域に撮影中画像５０３を表示する。このとき、撮影中画像５０３は、高さ（Ｄ２−２×ｄ１）、幅（Ｄ１）で、Ｓ４０１での表示形態の場合と変わらない。拡大情報表示領域６０１の縦方向の長さは、情報表示領域５０１と５０２の高さを足した２×ｄ１の距離であり、幅はＤ１のままである。このように撮影中画像５０３の上下に設けていた２つの情報表示領域を１つにまとめることで、１つの情報表示領域の大きさが大きくなり、文字を大きく表示できたり、詳細表示をしたり、タッチ操作をより受付しやすくなる。図６（ａ）〜（ｃ）は情報表示領域がフリック操作によって、表示部２８の上辺に沿って拡大情報表示領域６０１としてまとめられた場合の表示例である。図６（ａ）、（ｂ）は撮影中、（ｃ）は撮影待機中の表示部２８の表示例を示す。
【００５９】
Ｓ４１２では、システム制御部５０は、もともと情報表示領域５０１に表示されていた表示項目を読み出す。撮影待機中である場合には、図５（ａ）の情報表示領域５０１のアイコン５０４を読み出し、撮影中である場合には、図５（ｂ）の情報表示領域５０１の警告を示すアイコン５１３、撮影時間を示すアイテム５１２も読み出す。警告を示すアイコン５１３は、ユーザがメニュー画面において設定した項目ではないが、警告がある場合にはアイコン５１３が情報表示領域に表示されるようになり、他にも操作中の設定に関する注意等がある場合には対応するアイコンが表示される。警告を示すアイコン５１３は、電池切れやメモリ不足、過度の温度上昇といった撮影に影響のある警告やデジタルカメラ１００の不具合をユーザに示すための表示である。Ｓ４１１では、情報表示領域はフリック操作前に設けられていた情報表示領域５０１のある方に情報表示領域５０２が移動するように、新たに拡大情報表示領域６０１が設けられた。よって、もともと表示されていた情報表示領域５０１の表示項目を読み込んで拡大情報表示領域６０１に表示する。つまり、ユーザは縦方向へのフリック操作を行うことにより、後述するようにフリック操作を行った方向とは反対方向にある情報表示領域に表示されているアイコンについて、さらなる情報の確認や操作等を行うことができる。
【００６０】
Ｓ４１３では、システム制御部５０は、図６（ｄ）〜（ｅ）に示すように、表示部２８の下辺に沿った領域に情報表示領域５０１と５０２をまとめて拡大情報表示領域６０２として設け、上辺に沿った領域に撮影中画像５０３を表示する。このとき、撮影中画像５０３は、高さ（Ｄ２−２×ｄ１）、幅（Ｄ１）で、Ｓ４０１での表示形態の場合と変わらない。図６（ｄ）〜（ｅ）は情報表示領域がフリック操作によって、表示部２８の下辺に沿って拡大情報表示領域６０２としてまとめられた場合の撮影中の表示部２８の表示例である。
【００６１】
Ｓ４１４では、システム制御部５０は、もともと情報表示領域５０２に表示されていた表示項目を読み出す。図５（ａ）、（ｂ）の情報表示領域５０２のアイコン５０５〜５０９を読み出す。Ｓ４１３では、フリック操作前に設けられていた情報表示領域５０２のある方に情報表示領域５０１が移動するように、新たに拡大情報表示領域６０２が設けられた。よって、もともと表示されていた情報表示領域５０２の表示項目を読み込んで拡大情報表示領域６０２に表示する。
【００６２】
以下の処理では、縦方向へのフリック操作が行われた場合に、拡大された情報表示領域にどのアイコンについて、詳細表示、拡大表示、設定変更受付等をするかを判定する処理である。本実施形態のＳ４１５〜Ｓ４１６、Ｓ４２４〜Ｓ４２６では、図６（ａ）〜（ｃ）の上辺に情報表示領域がまとめられた場合（Ｓ４１１、Ｓ４１２の処理を経由した場合）の表示を用いて説明をする。また、Ｓ４１８〜Ｓ４２３では、図６（ｄ）〜（ｅ）の下辺に情報表示領域がまとめられた場合（Ｓ４１３、Ｓ４１４の処理を経由した場合）の表示を用いて説明をする。ただし、本実施形態で説明するアイコンが表示される情報表示領域は一例であり、表示される情報表示領域に限らずＳ４１２またはＳ４１４で読み出された同一の情報表示領域に表示されていた項目について以下で説明する判定をする。複数の項目が表示されている場合には、以下で説明するようにアイコンの示す情報の内容に優先順位をつけると、ユーザの求める情報の表示や、設定受け付けることができる。
【００６３】
Ｓ４１５では、システム制御部５０は、Ｓ４１２（またはＳ４１４）で読み出した表示項目の中に警告を示すアイコンがあるか否かを判定する。警告を示すアイコン５１３が表示されている際には、警告に関する詳細な説明をユーザにより早く知らせる必要があるので、表示項目の中に警告を示すアイコン５１３があるか否かを先に判定する。警告を示すアイコン５１３があると判定した場合は、Ｓ４１６へ進み、そうでない場合は、Ｓ４１８へ進む。
【００６４】
Ｓ４１６では、システム制御部５０は、警告内容について図６（ａ）のバッテリーの交換を促すような詳細説明を示すガイダンス６０３を表示する。このように警告を示すアイコンが表示された時にフリック操作を行うと、他の画面に移動してから確認するという作業を行わなくても、ユーザは表示された警告マークの詳細について確認することができる。
【００６５】
Ｓ４１７では、システム制御部５０は、撮影中であるか否かを判定する。撮影中であると判定した場合には、Ｓ４３０へ進み、そうでない場合は、Ｓ４２７へ進む。
【００６６】
Ｓ４１８では、システム制御部５０は、Ｓ４１４（またはＳ４１２）で読み出した表示項目の中に設定変更可能項目があるか否かを判定する。設定変更可能項目があると判定された場合は、Ｓ４１９へ進み、そうでない場合は、Ｓ４２４に進む。設定変更可能項目は、ユーザがメニュー画面等で設定変更可能な項目である。ただし、撮影中である場合には、さらに動画の記録中に設定変更可能な項目があるか否かを判定する。情報表示領域５０２に表示されていたアイコン５０５〜５０９のうち、設定変更可能な項目があるかを判定し、ある場合には設定変更可能な項目を読み出す。
【００６７】
Ｓ４１９では、システム制御部５０は、Ｓ４１８で判定した設定変更可能項目を選択受付状態で情報表示領域に表示する。Ｓ４１４において、図５（ａ）、（ｂ）の情報表示領域５０２に表示されているアイコン５０５〜５０９が読み出された場合には、図６（ｄ）のアイコン６０６と６０７に示すようにアイコンを表示するようにする。つまり、選択可能な状態で音声シーンを示すアイコン５０６と、ホワイトバランスを示すアイコン５０７を表示し、アイコン５０５、アイコン５０８〜５０９を非表示にする。アイコン６０６は、図５の情報表示領域５０２のアイコン５０６に対応し、アイコン６０７はアイコン５０７に対応する。本実施形態では、表示部２８が図６（ｄ）に示す状態である場合には、撮影中なので、アイコン５０５〜５０９のうち撮影中に設定変更可能なアイコン５０６とアイコン５０７が選択可能な状態で表示される。なお、動画の撮影中でない場合にはアイコン５０５〜５０９が選択可能な状態で表示される。
【００６８】
Ｓ４２０では、システム制御部５０は、Ｓ４１９において選択可能な状態で表示した設定変更可能項目への選択操作があったか否かを判定する。選択操作があったと判定した場合は、Ｓ４２１へ進み、そうでない場合は、Ｓ４１７へ進む。各項目の選択は、各項目を示すアイコンへのタッチオンとタッチアップの操作で行うことができる。
【００６９】
Ｓ４２１では、システム制御部５０は、Ｓ４２０で判定した選択した項目の下位階層の項目を示すアイコンを表示する。図６（ｅ）には、図６（ｄ）のアイコン６０６が示す音声シーンが選択された場合の下位階層の項目がアイコン群６０８として表示されている。アイコン６０６の下位階層アイコンは選択可能な状態であり、アイコン群６０８に含まれる各アイコンへのタッチ操作を行うことで音声シーンの設定変更を行うことができる。
【００７０】
Ｓ４２２では、システム制御部５０は、Ｓ４２１で表示した音声シーンの下位階層の項目（アイコン）への選択操作があったか否かを判定する。選択操作があったと判定した場合は、Ｓ４２３へ進み、そうでない場合は、Ｓ４１７へ進む。選択操作は、各項目へのタッチオンとタッチアップの操作で行うことができる。
【００７１】
Ｓ４２３では、システム制御部５０は、Ｓ４２２で判定した選択操作があった下位階層の項目を音声シーンに設定する。このように、上位階層の項目を選択したことに応じて表示される下位階層の項目へのタッチ操作で容易に設定変更を行うことができる。
【００７２】
Ｓ４２４では、システム制御部５０は、撮影中（動画の記録中）であるか否かを判定する。撮影中であると判定した場合は、Ｓ４２５へ進み、そうでない場合は、Ｓ４２６へ進む。
【００７３】
Ｓ４２５では、システム制御部５０は、Ｓ４１２（またはＳ４１４）で読み出した表示項目の中にある撮影に関する項目を拡大表示する。撮影に関する項目には、撮影中に表示される撮影時間や、静止画の場合には撮影枚数等の項目がある。図６（ｂ）の撮影時間を示アイテム６０４のように、図５の情報表示領域５０１で表示されていた撮影時間のアイテム５１２が拡大表示される。このように、撮影中には、他の項目よりも撮影に関する項目を優先して、拡大表示するようにする。
【００７４】
Ｓ４２６では、システム制御部５０は、Ｓ４１２（またはＳ４１４）で読み出した表示項目のうち、その他の項目（警告を示す項目、設定変更可能な項目、撮影に関する項目のいずれでもない項目）を詳細表示（拡大表示）する。図６（ｃ）に示すバー表示６０５は、図５の情報表示領域５０１に表示されているアイコン５０４の示す電池容量についてより詳細を示すバー表示である。アイコン５０４では、電池容量が三段階で示されていたが、バー表示６０５では０％から１００％までのより詳細な情報が分かる。このように、情報表示領域５０１（または５０１）だけでは、詳細な情報を表示するのに十分な領域がなかった場合にも情報表示領域をまとめることで、特定の項目に関する詳細が確認しやすくなる。
【００７５】
Ｓ４２７では、システム制御部５０は、Ｓ４０９で計測を開始した時間Ｔが所定時間Ｔαを超えたか否かを判定する。所定時間Ｔαを超えたと判定した場合には、Ｓ４０１へ進み、そうでない場合は、Ｓ４２８へ進む。所定時間Ｔαは、１０秒や１５秒といった時間である。所定時間Ｔαが経過すると、Ｓ４０１に進み、まとめられた１つの情報領域を再び２つの情報領域（情報表示領域５０１と５０２）に分けて項目を表示し、撮影中画像５０３を表示部２８の中央に表示する。つまり、図６（ａ）〜（ｅ）の拡大情報表示領域６０１または６０２にアイコンが表示され、撮影中画像５０３が下辺または上辺に沿って（上下のいずれかに寄せられて）表示されている状態から、画像が中央に表示される状態に戻る。このとき、図５（ａ）、（ｂ）に示すように情報表示領域５０１と５０２にアイコンが表示される。
【００７６】
Ｓ４２８では、システム制御部５０は、Ｓ４０５と同様に撮影開始指示があったか否かを判定する。撮影開始指示があったと判定した場合は、Ｓ４２９へ進み、そうでない場合は、Ｓ４３１に進む。
【００７７】
Ｓ４２９では、システム制御部５０は、撮像部２２により撮像された動画の記録処理を行い、Ｓ４０９で計測し始めた時間Ｔをリセットし、計測を中止する。つまり、撮影中画像５０３が表示部２８の中央ではなく上辺または下辺に沿って表示されている状態で、動画の記録が開始された場合には、所定時間Ｔαが経過したことにより撮影中に表示部２８に表示される撮影中画像５０３が移動しないようにする。つまり、動画の記録中にはユーザは記録している画像を表示部２８で確認している可能性が高いので、意図せず確認している画像が移動して被写体を見失ったりしないようにする。
【００７８】
Ｓ４３０では、システム制御部５０は、撮影終了指示があったか否かを判定する。撮影終了指示があったと判定した場合には、Ｓ４０１へ進み、表示部２８の表示を図５（ａ）、（ｂ）の状態に戻し、そうでない場合は、Ｓ４２９へ進む。拡大情報表示領域６０１または６０２にアイコンが表示されている場合には、情報表示領域５０１または５０２の何れかに表示されているアイコンであり、さらにＳ４１５〜Ｓ４２６での処理で判定された一部のアイコンが表示される。一方で、Ｓ４１５〜Ｓ４２６で表示すると判定されなかったその他のアイコンについては表示されない。よって、撮影が終了した場合には、ユーザが再び表示する項目として設定していたが、情報表示領域がまとめられた結果、非表示にされた項目を再びアイコンとして表示するようにする。
【００７９】
Ｓ４３１では、システム制御部５０は、縦方向にフリック操作があったか否かを判定する。縦方向にフリック操作があったと判定した場合は、Ｓ４３２へ進み、そうでない場合は、Ｓ４２７へ進み、再び所定時間Ｔαを超えたか否かの判定をする。このように、所定時間Ｔαが経過するまで、撮影開始指示があったか、縦方向へのフリック操作があったかを判定する。なお、Ｓ４１８でＹｅｓ（設定変更可能項目有り）になり、Ｓ４１７でＮｏ（撮影中ではない）と判定されて、Ｓ４２７へ進んだ場合には、所定時間Ｔαが経過するまでさらにＳ４２２の下位階層のアイコンへの選択操作があったか否かも判定する。Ｓ４２７〜Ｓ４３１の処理の後で下位階層のアイコンへの選択操作があったと判定された場合には、Ｓ４２３に示すように設定変更をし、Ｓ４０１へ進む。また、選択操作が無かった場合には、Ｓ４２７に戻り、再び所定時間Ｔαが経過したか否かを判定する。
【００８０】
Ｓ４３２では、システム制御部５０は、Ｓ４１０（及びＳ４０８）で判定されたフリック操作の方向と同じ方向のフリック操作であるか否かを判定する。システムメモリ５２に記憶されているＳ４１０で判定されたフリック操作の方向とＳ４３１で判定したフリック操作の方向とを比較する。同じ方向のフリック操作であると判定した場合には、Ｓ４３３へ進む。そうでない場合（反対方向のフリック操作だった場合）は、Ｓ４０１に進み、表示部２８の表示をもとの状態（撮影中画像５０３が中央に表示され、情報表示領域５０１、５０２が設けられる状態）に戻す。
【００８１】
Ｓ４３３では、システム制御部５０は、Ｓ４０９で計測し始めた時間Ｔをリセットして再び計測を開始する。つまり、Ｓ４１０で判定されたフリック操作と同方向のフリック操作が行われたので、時間Ｔを延長するようにして情報表示領域をまとめる表示（直前のＳ４１１〜Ｓ４２６での表示）を継続して、Ｓ４２７に進む。
【００８２】
以上、説明した実施形態によれば、フリック操作で、画像を表示部２８の中央位置に表示したり、より詳細な情報を表示させたりすることを容易に切り替えることができる。項目の設定や確認等の操作を行う場合には、フリック操作で情報表示領域を拡大することで、もともとの情報表示領域では表示しきれなかった情報を表示することができる。また、片側に表示画像が表示された状態からフリック操作を行うことで、表示部２８の中央に表示画像を表示することができるので画像の視認性も低減させない。
【００８３】
画像を表示部２８の中央に表示する場合、お互いに接しない情報表示領域が２つある場合には、それぞれの情報表示領域に表示可能な情報量は限られ、設定項目、撮影時間、電池容量等を示す記号のアイコン等の表示が表示される。２つの情報表示領域をまとめると、上述した実施形態で説明したような、警告等に関する説明表示、拡大表示、詳細表示、選択可能な状態での（表示形態を変えた）表示をすることができる。このように、もともとの情報表示領域では表示しきれなかった情報が、もともとの情報表示領域以上の大きさになる（情報表示領域が拡大する）ことにより表示可能になる。表示されたアイコンの詳細の確認や設定変更等を行うために、他の画面に一度切り替えたりすることなく、また画像を確認しながら、確認や設定変更操作を行うことができるので操作性が良い。また、まとめられた拡大情報表示領域に新たにアイコン等の表示をするので、画像の表示領域を縮小したり、画像にアイコンが画像に重畳して画像の視認性が低下することもない。
【００８４】
フリック操作で容易に画像を中央に位置するようにすることができるので、記録する画像を確認したい場合にも、情報表示領域と画像の表示する位置とを切り替えて、撮影に適した（画像を確認しやすい）画面に切り替えることができる。よって、ユーザは表示されているアイコンの詳細の確認や、設定変更等の操作を行ってすぐに、撮影に適した（画像が中央に位置した）表示に切り替えて撮影を行うことができる。
【００８５】
また、ユーザが把持部Ｂを持っている手で表示部２８へのタッチ操作を行う場合には、本体部２０側の領域（右側の領域）へのタッチ操作は行いにくいが、フリック操作を行うことでタッチ操作の行いやすい領域にアイテムを表示することができる。このように、タッチ操作が行いにくいような領域に表示されているアイテムであっても、把持部Ｂを持った手で行うことのできるフリック操作でアイテムを操作しやすい位置に移動させることができるので、ユーザはデジタルカメラ１００を持ち変えたりしなくてよい。
【００８６】
次に、情報表示領域が左右に設けられる場合の表示部２８の表示例について、図５（ｃ）と図６（ｆ）を用いて説明する。図５（ｃ）では、表示部２８の左右の辺に沿って情報表示領域５１４と５１５が設けられており、表示部２８の中央に撮影中画像５１６が表示されている。情報表示領域５１４と５１５の幅はそれぞれｄ２であり、高さは共にＤ２（表示部２８の表示領域の高さと等しい）であり、撮影中画像５１６は、高さ（Ｄ２）、幅（Ｄ１−２×ｄ２）である。このとき、左右方向へのフリック操作を受け付けると、２つの情報表示領域が１つの拡大情報表示領域にまとめられ、撮影中画像５１６が左右のいずれか一辺に沿って表示されるようになる。図６（ｆ）は、左から右方向へのフリック操作が行われた場合の表示例であり、拡大情報表示領域６０９にはホワイトバランスを示すアイコン６０７と、ズーム倍率を調整するためのバー６１０が表示されている。このときの撮影中画像５１６は、高さ（Ｄ２）、幅（Ｄ１−２×ｄ２）であり、図５（ｃ）のフリック前の表示状態の時と変わらない。図５の情報表示領域５１４に表示されたアイコン５０７、５０９のうち設定変更可能な項目はアイコン５０７であるので、拡大情報表示領域６０９ではアイコン６０７のように選択可能な状態で表示される。バー６１０は、情報表示領域５１４に対応するアイコンが表示されていなかったが、動画の撮影においては画像のズーム倍率を変える頻度が高いため表示する。ズーム倍率の調整は、バー６１０とズームレバー６２とへの操作によって行うことができる。このように、拡大情報表示領域がフリック操作によって設けられたことに応じて、操作部材に対応する使用頻度の高いアイコンを表示してもよい。
【００８７】
本実施形態では、情報表示領域が分けて表示されている時に、フリック操作を受け付けると拡大情報表示領域としてまとめて表示することを説明したが、情報表示領域と拡大情報表示領域の切り替えを逆にしてもよい。つまり、通常は拡大情報領域に設定された項目のうち対象となる項目（Ｓ４１５〜Ｓ４２６で表示される項目）が表示されており、ユーザからの操作を受け付けた場合に、情報表示領域を２つに分けて、設定された項目を全てアイコンとして表示するようにしてもよい。このように、通常は拡大情報表示領域に一部のアイコンについて表示して詳細な項目の確認や設定変更をし、設定した項目全てについて確認をしたい時のみフリック操作を行えばより多数の項目について確認することができる。
【００８８】
なお、本実施形態では情報表示領域を２つ表示部２８の上下または左右に沿って設け、撮影中画像を中央に表示することを説明したが、情報表示領域は必ずしも２つでなくてもよく、上下左右に設けられていてもよい。同様に、拡大情報表示領域を１つとして片方の辺に沿って設け、撮影中画像を他方の辺に沿って表示（端によって表示）することを説明したが、拡大情報表示領域も必ずしも１つでなくても、情報表示領域よりも少なく、まとめられた情報表示領域の大きさが大きくなっていればよい。拡大情報表示領域は、本実施形態では２つの情報表示領域をまとめら大きさになることを説明したが、もともとの情報表示領域よりも大きくなっていればよい。また、情報表示領域には必ずしもアイコンが表示されていなくてもよい。Ｓ４１２またはＳ４１４の処理によって表示されているアイコンがないことが分かった場合には、図６（ｆ）で示したズーム倍率を設定調整するバー６１０のように、表示中の画面で操作頻度の高い項目を表示するようにしてもよい。
【００８９】
なお、画像表示領域の大きさは画面の切り替え前後で変わらないことを説明したが、画像表示領域と情報表示領域の他に領域がある画面において、切り替え操作を受け付けた場合には、その限りではない。つまり、情報表示領域が拡大情報表示領域となり、情報表示領域が大きくなっても、画像表示領域がもともとの画像表示領域以上の大きさになることがある。
【００９０】
また、情報表示領域と画像表示領域とは一部が重畳されていてもよく、例えば、アイコンが画像に重畳して表示されていてもよい。このとき、アイコンを半透明で表示すると、アイコンの表示も確認することができ、さらに画像の視認性も低下しない。
【００９１】
画像表示領域には、撮像画像または再生画像等の画像全体が表示されていても良いし、画像の一部を表示するような拡大表示を受け付けるようにしてもよい。
【００９２】
なお、本実施形態では撮影モードである場合について説明したが、これに限らず再生モード等でも適用可能である。さらに、フリック操作で情報表示領域をまとめることを説明したが、これに限らず所定距離以上のタッチムーブや、情報表示領域を複数回タッチする操作、ボタン操作等でもよい。
【００９３】
また、パネル部４０画本体部２０に対して反転したり、回転したことによって、表示部２８の表示も回転した場合には、表示部２８の回転に応じて、その上下左右の関係も変わる。
【００９４】
なお、表示制御装置の制御は１つのハードウェアが行ってもよいし、複数のハードウェアが処理を分担することで、装置全体の制御を行ってもよい。
【００９５】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００９６】
また、上述した実施形態においては、本発明をデジタルカメラ１００に適用した場合を例にして説明したが、これはこの例に限定されず、表示部とアスペクト比の異なる画像を表示する表示制御装置であれば適用可能である。即ち、本発明はパーソナルコンピュータ（ＰＣ）や、携帯電話端末や携帯型の画像ビューワ、デジタルフォトフレーム、音楽プレーヤー、ゲーム機、電子ブックリーダー、タブレットＰＣ、スマートフォン、投影装置、表示部を有する家電装置等に適用可能である。また、デジタルカメラ等で撮影したライブビュー画像を有線または無線通信を介して受信して表示し、リモートでデジタルカメラ（ネットワークカメラを含む）を制御するスマートフォンやタブレットＰＣ、デスクトップＰＣなどの装置にも適用可能である。
【００９７】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
0006525734.tif 000002
【図２】
0006525734.tif 000003
【図３】
0006525734.tif 000004
【図４】
0006525734.tif 000005
【図５】
0006525734.tif 000006
【図６】
0006525734.tif 000007